(57)【要約】【課題】画像が記録されて胴内排出された被記録媒体をユーザが容易に取り出すことができる薄型の画像記録装置の提供。【解決手段】プリンタ部２０の開口１６内には、給紙トレイ２９及び排紙トレイ２１が排紙トレイ２１を上側として上下二段に配置される。給紙トレイ２９に収容されている記録用紙は、搬送路２３に沿って搬送される過程で画像が記録されて排紙トレイ２１上に排出される。第１姿勢では、排紙トレイ２１の端面１１７とプリンタ部２０の開口面１９とが略同一平面を形成する。排紙トレイ２１は、拡張トレイ６１の後端面１１７が開口面１９から押し込まれて第１姿勢から第２姿勢へ姿勢変化される。この排紙トレイ２１の姿勢変化により、ユーザが記録用紙を取り出すために手を入れるための空間が開口１６の下方及び奥側へ拡張される。【選択図】図１８
2008213973.tif 000002
【特許請求の範囲】
【請求項１】
開口を有する装置本体と、
上記装置本体の開口内に配置され、シート状の被記録媒体を収容する第１トレイと、
上記第１トレイの上側に該第１トレイと上下二段に配置された第２トレイと、
上記第１トレイから被記録媒体を搬送して上記第２トレイ上に排出する搬送部と、
上記被記録媒体の搬送過程で該被記録媒体に画像を記録する記録部と、を具備し、
上記第２トレイは、その上記開口側の端面が上記装置本体の開口面と略同一平面をなす第１姿勢と、少なくとも上記端面の一部が上記開口面から押し込まれた第２姿勢との間で姿勢変化可能に構成されている画像記録装置。
【請求項２】
上記搬送部は、上記記録部により画像が記録された被記録媒体を上記開口へ向けて排出する請求項１に記載の画像記録装置。
【請求項３】
上記第２トレイは、上記第１トレイに連結されたトレイ本体と、
上記トレイ本体に上記開口面から押し込まれる方向へスライド可能に設けられたサブトレイとを備える請求項１又は２に記載の画像記録装置。
【請求項４】
上記サブトレイは、その幅が上記第１トレイの幅と略等しいものである請求項３に記載の画像記録装置。
【請求項５】
上記トレイ本体は、その上記開口側の端面の一部が上記押し込まれる方向へ切り欠かれたものであって、
上記サブトレイは、上記トレイ本体の切り欠き部に上記押し込まれる方向へスライド可能に設けられたものである請求項３に記載の画像記録装置。
【請求項６】
上記第１トレイは、該第１トレイの蓋として上記第２トレイが一体に設けられた給紙カセットである請求項１から５のいずれかに記載の画像記録装置。
【請求項７】
上記第１トレイは、その開口側の端面が上記サブトレイと一体的に上記開口面から押し込まれる方向へスライド可能に構成されている請求項６に記載の画像記録装置。
【請求項８】
上記装置本体は、その正面側に上記開口を有する請求項１から７のいずれかに記載の画像記録装置。
【請求項９】
上記記録部の上方に原稿の画像を読み取る読取部を備え、
上記記録部により画像が記録された被記録媒体は、上記読取部と上記第２トレイとの間の空間に排出される請求項１から８のいずれかに記載の画像記録装置。
【発明の詳細な説明】
【技術分野】
【０００１】
本発明は、画像が記録された被記録媒体を胴内排出する画像記録装置に関する。
【背景技術】
【０００２】
インクジェットプリンタやレーザプリンタなどの画像記録装置は、給紙トレイ及び排紙トレイを備えている。給紙トレイには、画像の記録に使用される記録用紙が収容される。この記録用紙は、給紙トレイから搬送され、その搬送過程で画像が記録されて排紙トレイへ排出される。この種の画像記録装置の中には、排紙トレイが装置本体の内側に設けられたいわゆる胴内排出タイプのものが知られている。
【０００３】
特許文献１に記載の画像形成装置は、画像読取部及び画像形成部を備える。この画像形成装置では、画像読取部により原稿の画像が読み取られ、画像形成部によりその原稿の画像が記録用紙に記録される。画像が記録された記録用紙は、排紙トレイに排出される。排紙トレイは、装置本体における上部に設けられた画像読取部と、下部に設けられた画像形成部との間に設けられている。排紙トレイは、記録用紙の排出方向の先端側が後端側よりも低くなるように傾斜されている。これにより、排紙トレイの上面が画像形成装置の外側へ向けられているので、排紙トレイが水平に設けられている場合に比べて、ユーザが排紙トレイから記録用紙を容易に取り出すことができる。
【０００４】
特許文献２には、操作パネルが設けられている装置本体の正面側から離れた位置に排出された記録用紙の取り出しを容易にする構成が開示されている。特許文献２に記載の画像形成装置は、画像が記録された記録用紙が排出される排紙トレイ、及び排紙トレイから記録用紙を取り出すための排出口が装置本体の側方に設けられている。画像が記録された記録用紙は、排紙トレイにおける装置本体の背面側に排出される。排紙トレイは、装置本体の正面側が背面側よりも低くなるように傾斜されている。このため、排紙トレイに排出された記録用紙が傾斜された排紙トレイに沿って装置本体の背面側から正面側へスライド移動する。これにより、装置本体の正面側からの記録用紙の取り出しが容易になる。
【０００５】
また、特許文献２には、排紙トレイが水平に配置された水平姿勢と、排紙トレイが上述のように傾斜された傾斜姿勢との間を回動可能とする構成が開示されている。ユーザが排紙トレイにおける装置本体の正面側を押し下げることによって排紙トレイが回動し、排紙トレイからの記録用紙の取り出しが容易になる。
【０００６】
【特許文献１】特開２００１−６３８９８号公報
【特許文献２】特開平５−１１６８３０号公報
【発明の開示】
【発明が解決しようとする課題】
【０００７】
特許文献１に記載の画像形成装置では、排紙トレイが傾斜して設けられているので、排紙トレイが水平に設けられている場合に比べて排紙トレイが占有する空間が増大する。このため、装置が大型化するという問題がある。特許文献２に記載の画像形成装置では、排紙トレイを回動させるための空間を設けておく必要があり、特許文献１に記載の画像形成装置と同様に装置が大型化するという問題がある。
【０００８】
本発明は、かかる問題に鑑みてなされたものであり、画像が記録されて胴内排出された被記録媒体をユーザが容易に取り出すことができる薄型の画像記録装置を提供することを目的とする。
【課題を解決するための手段】
【０００９】
(1)  本発明に係る画像記録装置は、開口を有する装置本体と、上記装置本体の開口内に配置され、シート状の被記録媒体を収容する第１トレイと、上記第１トレイの上側に該第１トレイと上下二段に配置された第２トレイと、上記第１トレイから被記録媒体を搬送して上記第２トレイ上に排出する搬送部と、上記被記録媒体の搬送過程で該被記録媒体に画像を記録する記録部と、を具備し、上記第２トレイは、その上記開口側の端面が上記装置本体の開口面と略同一平面をなす第１姿勢と、少なくとも上記端面の一部が上記開口面から押し込まれた第２姿勢との間で姿勢変化可能に構成されている。
【００１０】
本発明の画像記録装置は、その装置本体に開口が形成されている。この開口は、画像が記録された被記録媒体をユーザが取り出すためのものである。装置本体の開口内には、第２トレイを上側として第１トレイ及び第２トレイが上下二段に配置される。第１トレイには、シート状の被記録媒体が収容されている。被記録媒体は、第１トレイから搬送される過程で画像が記録されて第２トレイ上へ排出される。第２トレイに排出された被記録媒体は、開口を通して取り出される。
【００１１】
第２トレイは、第１姿勢と第２姿勢との間で姿勢変化可能に構成されている。第１姿勢では、第２トレイにおける開口側の端面が装置本体の開口面と略同一平面を形成する。第２姿勢では、少なくとも第２トレイにおける開口側の端面の一部が開口面から押し込まれた状態となる。第２トレイが第１姿勢から第２姿勢へ姿勢変化されることにより、第２トレイから被記録媒体を取り出すためにユーザが手を入れるための空間が開口の下方及び奥側へ拡張される。その結果、ユーザが開口のより奥まで手を入れることが可能となり、被記録媒体が第２トレイ上に排出されたときに、第２トレイの奥部から被記録媒体を容易に取り出すことが可能となる。したがって、ユーザが第２トレイから被記録媒体を取り出しにくくなるといった不利益を被ることなく、開口の高さを低くして画像記録装置を薄型化することが可能である。
【００１２】
(2)  上記搬送部は、上記記録部により画像が記録された被記録媒体を上記開口へ向けて排出するものでもよい。
【００１３】
第１トレイから搬送された被記録媒体は、開口へ向けて第２トレイ上に排出される。例えばハガキなどの小サイズの被記録媒体は、開口から離れた第２トレイの奥部に載置される。第２トレイが第１姿勢から第２姿勢へ姿勢変化されることにより、第２トレイから被記録媒体を取り出すためにユーザが手を入れるための空間が開口の下方及び奥側へ拡張される。したがって、第２トレイの奥部に小サイズの被記録媒体が排出されたとしても、被記録媒体の取り出しは容易である。
【００１４】
(3)  上記第２トレイは、上記第１トレイに連結されたトレイ本体と、上記トレイ本体に上記開口面から押し込まれる方向へスライド可能に設けられたサブトレイとを備えていてもよい。
【００１５】
トレイ本体は、第１トレイに連結されている。第２トレイは、トレイ本体に対してサブトレイが開口面から押し込まれることによって第１姿勢から第２姿勢へと姿勢変化される。これにより、第２トレイから被記録媒体を取り出すためにユーザが手を入れるための空間が開口の下方及び奥側へ拡張されて第２トレイからの被記録媒体の取り出しが容易になる。
【００１６】
(4)  上記サブトレイは、その幅が上記第１トレイの幅と略等しいものであってもよい。
【００１７】
上記構成により、第１トレイの幅方向の全域にわたって、第２トレイから被記録媒体を取り出すためにユーザが手を入れるための空間が開口の下方及び奥側へ拡張される。このため、第２トレイの幅方向の中央を基準として被記録媒体が排出される場合、及び第２トレイの幅方向の端部を基準として被記録媒体が排出される場合のいずれの場合であっても、ユーザは、第２トレイから被記録媒体を容易に取り出すことができる。
【００１８】
(5)  上記トレイ本体は、その上記開口側の端面の一部が上記押し込まれる方向へ切り欠かれたものであって、上記サブトレイは、上記トレイ本体の切り欠き部に上記押し込まれる方向へスライド可能に設けられたものであってもよい。
【００１９】
トレイ本体は、その開口側の端面の一部が開口の奥側へ切り欠かれている。これにより、トレイ本体には切り欠き部が形成されている。第１姿勢では、サブトレイがこの切り欠き部に配置される。これにより、第１トレイの上面がトレイ本体及びサブトレイに覆われる。第２トレイは、サブトレイが押し込まれることによって第１姿勢から第２姿勢へ姿勢変化される。サブトレイのスライドによって切り欠き部が開放され、第２トレイから被記録媒体を取り出すためにユーザが手を入れるための空間が切り欠き部の下方まで拡張される。その結果、第２トレイからの被記録媒体の取り出しが容易になる。
【００２０】
(6)  上記第１トレイは、該第１トレイの蓋として上記第２トレイが一体に設けられた給紙カセットであってもよい。
【００２１】
第１姿勢では、第１トレイの上面が第２トレイに覆われる。これにより、第１トレイ内へのゴミの進入が防止されている。第２トレイが第１姿勢から第２姿勢へ姿勢変化されることにより、第２トレイからの被記録媒体の取り出しが容易になる。
【００２２】
(7)  上記第１トレイは、その開口側の端面が上記サブトレイと一体的に上記開口面から押し込まれる方向へスライド可能に構成されていてもよい。
【００２３】
第１トレイには、例えばハガキなどの小サイズの被記録媒体が収容される。この場合、第１トレイは、開口面から押し込まれた状態で使用される。第１トレイがサブトレイと一体的に押し込まれることにより、第２トレイから被記録媒体を取り出すためにユーザが手を入れるための空間が開口の下方及び奥側へさらに拡張されて被記録媒体の取り出しが一層容易になる。このため、画像記録装置の薄型化も容易になる。
【００２４】
(8)  上記装置本体は、その正面側に上記開口を有するものでもよい。
【００２５】
上記構成により、例えば開口が装置本体の側面に形成されている場合に比べて、第２トレイからの被記録媒体の取り出しがさらに容易になる。
【００２６】
(9)  本発明の画像記録装置が上記記録部の上方に原稿の画像を読み取る読取部を備え、上記記録部により画像が記録された被記録媒体は、上記読取部と上記第２トレイとの間の空間に排出されてもよい。
【００２７】
上記構成により、ユーザが胴内排出された被記録媒体を取り出しにくいといった不利益を被ることなく、スキャナ及びプリンタが上下二段に設けられた装置の薄型化を図ることが可能となる。
【発明の効果】
【００２８】
本発明によれば、第２トレイが第１姿勢から第２姿勢へ姿勢変化されることにより、第２トレイから被記録媒体を取り出すためにユーザが手を入れるための空間が開口の下方及び奥側へ拡張される。その結果、ユーザが開口のより奥まで手を入れることができ、第２トレイの奥部から被記録媒体を容易に取り出すことができる。したがって、ユーザが第２トレイから被記録媒体を取り出しにくくなるといった不利益を被ることなく、開口の高さを低くして画像記録装置を薄型化することができる。
【発明を実施するための最良の形態】
【００２９】
以下、適宜図面が参照されて本発明の実施形態が説明される。なお、本実施形態は本発明の一例にすぎず、本発明の要旨を変更しない範囲で、実施形態を適宜変更できることは言うまでもない。
【００３０】
［第１実施形態］
まず、本発明の画像記録装置の一実施形態に係る複合機１０の構成及び動作について説明する。図１は、複合機１０の外観構成を示す斜視図である。
【００３１】
図１に示されるように、複合機１０は、プリンタ部２０（本発明の装置本体に相当する）を下部に備え、スキャナ部１２（本発明の読取部に相当する）を上部に備えて構成された多機能装置（ＭＦＤ：Multi Function Device）である。この複合機１０は、プリンタ機能、スキャナ機能、コピー機能、ファクシミリ機能を有し、プリンタ部２０が本発明の画像記録装置に相当する。したがって、本発明に係る画像記録装置は複合機１０に限定されるものではなく、例えば、スキャナ部１２がなく、スキャナ機能やコピー機能を有しない単機能のプリンタにも本発明は適用可能である。
【００３２】
複合機１０は、主にコンピュータ等の外部情報装置（不図示）と接続される。複合機１０は、外部情報装置から送信された画像データや文書データなどを含む印刷データを受信する。複合機１０は、その印刷データに基づいて記録用紙（本発明におけるシート状の被記録媒体の一例）に画像を記録する。複合機１０は、スキャナ部１２により読み取られた原稿の画像データに基づいて記録用紙に画像を記録する。複合機１０は、デジタルカメラ等が接続されて、デジタルカメラ等から出力される画像データを記録用紙に記録する。複合機１０は、メモリカード等の各種記憶媒体が装填されて、該記憶媒体に記録された画像データ等を記録用紙に記録する。
【００３３】
図１に示されるように、複合機１０は、高さより横幅及び奥行きが大きい幅広薄型の概ね直方体形状を呈する。プリンタ部２０は、その正面側に開口１６が形成されている。この開口１６は、画像が記録されて開口１６内に胴内排出された記録用紙をユーザが取り出すためのものである。開口１６内には、給紙トレイ２９（本発明の第１トレイの一例）及び排紙トレイ２１（本発明の第２トレイの一例）が配置されている。給紙トレイ２９及び排紙トレイ２１は、排紙トレイ２１を給紙トレイ２９の上側として上下二段に配置される。給紙トレイ２９は、給紙トレイ２９の蓋として排紙トレイ２１が一体に設けられた給紙カセット５２（図６参照）である。
【００３４】
給紙トレイ２９は、画像の記録に使用される記録用紙を収容する。記録用紙としては、普通紙、光沢紙、インクジェット紙、ハガキ等が挙げられる。記録用紙は、給紙トレイ２９から搬送される過程で画像が記録されてプリンタ部２０の空間４０（図２参照）に胴内排出される。排紙トレイ２１は、この画像が記録された記録用紙を収容する。
【００３５】
給紙カセット５２は、開口１６を通してプリンタ部２０に対して挿抜される。本実施形態においては、図１に示されるように、開口１６が操作パネル１４と同じプリンタ部２０の正面側（図２における左側）に設けられている。これにより、例えば開口１６がプリンタ部２０の側面に形成されている場合に比べて、排紙トレイ２１からの記録用紙の取り出しは容易である。ただし、開口１６の位置はこれに限定されるものではない。開口１６は、プリンタ部２０の側面又は背面に形成されてもよい。なお、給紙カセット５２については後に詳述される。
【００３６】
プリンタ部２の正面の右下部には、扉２８（図１参照）が開閉自在に設けられている。扉２８の内側にはカートリッジ装着部（不図示）が設けられている。扉２８が開かれると、カートリッジ装着部が正面側に露出されてインクカートリッジが装抜可能になる。インクカートリッジは、カートリッジ装着部に装着されることにより、インクチューブ４１（図４参照）を介して記録ヘッド３９（図５参照）と連結される。後述のキャリッジ３８（図４参照）には、記録ヘッド３９と共にサブタンクが設けられている。サブタンクは、インクカートリッジから供給されたインクを貯留する。記録ヘッド３９は、このサブタンクから供給されるインクを吐出して記録用紙に画像を記録する。
【００３７】
複合機１０の上部はスキャナ部１２である。スキャナ部１２は、原稿の画像を読み取るものである。このスキャナ部１２は、フラットベッドスキャナ（ＦＢＳ：Flat Bed Scanner）や自動原稿搬送装置（ＡＤＦ：Automatic Document Feeder）３４を有して構成されている。スキャナ部１２は、原稿台３０及び原稿カバー１７を備える。原稿台３０は、ＦＢＳとして機能するものである。原稿台３０の天面には、原稿が載置されるプラテンガラスが設けられている。原稿台３０の内部には、原稿の画像を読み取るイメージセンサが設けられている。原稿カバー１７は、プラテンガラスに載置された原稿をプラテンガラスに密着させるものであり、原稿台３０に対して開閉自在に設けられている。原稿カバー１７には、ＡＤＦ３４とともに、第１原稿トレイ３２及び第２原稿トレイ１８が設けられている。
【００３８】
スキャナ部１２では、プラテンガラスに載置された原稿、又は第１原稿トレイ３２に載置された原稿の画像がイメージセンサによって読み取られる。第１原稿トレイ３２に原稿が載置された状態で原稿の読取開始が指示される。第１原稿トレイ３２に載置された原稿は、ＡＤＦ３４により所定の搬送路に沿って搬送されて第２原稿トレイ１８へ排出される。原稿は、その搬送過程で搬送路の所定位置に配置されたイメージセンサによってその画像が読み取られる。
【００３９】
プラテンガラスに原稿が載置された状態で原稿の読取開始が指示される。イメージセンサは、プラテンガラスに対向して原稿の副走査方向（プリンタ部２０の幅方向）へ移動される。その過程で、プラテンガラス上の原稿の画像がプラテンガラスを通してイメージセンサにより読み取られる。
【００４０】
複合機１０の正面上部には、操作パネル１４が設けられている。操作パネル１４は、各種情報を表示する液晶ディスプレイ、ユーザが情報を入力する入力キー等から構成される。複合機１０は、この操作パネル１４からの操作入力、又はコンピュータ等から送信される情報に基づいて動作する。
【００４１】
図２は、複合機１０の内部構成を示す縦断面図である。
【００４２】
図２に示されるように、複合機１０の底側には給紙トレイ２９が設けられている。この給紙トレイ２９の奥側（図２における右側）には、傾斜板２２（図６参照）が設けられている。傾斜板２２は、装置背面側（図２における右側）へ倒れるように傾斜している。傾斜板２２は、給紙トレイ２９から供給された記録用紙を分離して上方へ案内する。傾斜板２２の上方には搬送路２３が設けられている。搬送路２３は、記録用紙が搬送されるものであり、その一部が湾曲形成されている。具体的には、搬送路２３は、傾斜板２２から上方へ向かった後、複合機１０の正面側（図２における左側）へ曲がって正面側へと延び、画像記録ユニット２４（本発明の記録部に相当する）を通過して排紙トレイ２１へ通じている。給紙トレイ２９に収容された記録用紙は、搬送路２３に沿って下方から上方へＵターンするように案内されて画像記録ユニット２４に至り、画像記録ユニット２４により画像記録が行われて排紙トレイ２１上の空間４０に排出される。搬送路２３は、画像記録ユニット２４が配設されている箇所以外は、所定間隔で対向する外側ガイド面と内側ガイド面とから構成されている。
【００４３】
図３は、プリンタ部２０の主要構成を示す部分拡大断面図である。
【００４４】
図３に示されるように、給紙トレイ２９の上側には給紙ローラ２５（本発明の搬送部の一部）が設けられている。給紙ローラ２５は、記録用紙と圧接して記録用紙を搬送ローラ６７及びピンチローラ（不図示）へ供給する。給紙ローラ２５は、湾曲形成された搬送路２３よりも記録用紙の搬送方向の上流側（以下、単に「上流側」とも称される。）に設けられている。給紙ローラ２５は、給紙トレイ２９に積載された記録用紙に圧接して記録用紙を傾斜板２２へ供給する。給紙ローラ２５は、給紙アーム２６の先端に軸支されている。給紙ローラ２５は、複数のギヤが噛合されてなる駆動伝達機構２７により、ＬＦモータ８５（本発明の搬送部の一部、図５参照）から駆動力が伝達されて回転される。
【００４５】
図３に示されるように、給紙アーム２６は、基軸２６Ａを回動軸として、給紙トレイ２９に接離可能に上下動される。給紙アーム２６は、自重により給紙トレイ２９に接触するように下側に回動される。これにより、給紙ローラ２５が給紙トレイ２９に接触される。給紙トレイ２９に記録用紙が収容されている場合、給紙ローラ２５は、給紙トレイ２９における最上位置の記録用紙に圧接される。給紙カセット５２（図６参照）が開口１６から挿抜される際には、給紙アーム２６が上側へ退避される。
【００４６】
給紙ローラ２５は、給紙トレイ２９上の記録用紙の表面に圧接された状態でＬＦモータ８５から伝達される駆動力により回転される。これにより、給紙ローラ２５のローラ面と記録用紙との間の摩擦力によって最上位置の記録用紙が傾斜板２２へ向けて送り出される。記録用紙は、その先端が傾斜板２２に当接して上方へ、つまり搬送路２３へ案内される。給紙ローラ２５によって最上位置の記録用紙が送り出される際に、その直下の記録用紙が摩擦や静電気の作用によって共に送り出される場合があるが、該記録用紙は傾斜板２２との当接によって制止される。
【００４７】
図３に示されるように、湾曲形成された搬送路２３よりも記録用紙の搬送方向の下流側（以下、単に「下流側」とも称される。）には、搬送ローラ６７（本発明の搬送部の一部）が設けられている。搬送路２３を挟んで搬送ローラ６７と対向する位置には、ピンチローラが設けられている。図には示されていないが、このピンチローラは、搬送ローラ６７に圧接可能に付勢されている。記録用紙は、給紙ローラ２５により搬送路２３へ供給されると、搬送ローラ６７とピンチローラとの間へ進入する。その際、ピンチローラは記録用紙の厚み分だけ退避して記録用紙を搬送ローラ６７とともに狭持する。搬送ローラ６７は、ＬＦモータ８５（図５参照）から駆動力が伝達されて回転される。搬送ローラ６７の回転力が確実に記録用紙へ伝達され、記録用紙がプラテン４２（図３参照）上へ搬送される。
【００４８】
図３に示されるように、搬送ローラ６７の下流側には、画像記録ユニット２４（図４参照）が設けられている。画像記録ユニット２４は、主走査方向（図３の紙面に垂直な方向）へ往復動するキャリッジ３８（図４参照）にヘッド制御基板３３（図５参照）及び記録ヘッド３９（図５参照）が搭載されたものである。ここで、主走査方向は、記録用紙の搬送方向５０（図４参照）と略直交する方向である。記録ヘッド３９には、上述のインクカートリッジからインクチューブ４１（図４参照）を通じてインクが供給される。記録ヘッド３９は、記録用紙にインクを微小なインク滴として選択的に吐出する。記録用紙は、搬送ローラ６７及びピンチローラ６４によりプラテン４２上を搬送される。この搬送過程において、記録ヘッド３９は、キャリッジ３８の往復動により記録用紙の搬送方向と略直交する方向へ走査されながらインク滴を選択的に吐出する。これにより、プラテン４２上を通過する記録用紙に画像が記録される。
【００４９】
画像記録ユニット２４の下流側には、排紙ローラ６８（本発明の搬送部の一部、図３参照）が設けられている。搬送路２３を挟んで排紙ローラ６８と対向する位置には、拍車ローラ６９（本発明の搬送部の一部）が設けられている。拍車ローラ６９は、排紙ローラ６８に圧接されている。記録用紙は、上述のようにプラテン４２を通過する過程において画像記録ユニット２４により画像が記録される。この記録用紙が搬送ローラ６８と拍車ローラ６９との間へ進入すると、記録用紙は排紙ローラ６８及び拍車ローラ６９により狭持される。ＬＦモータ８５（図５参照）からの駆動力は、搬送ローラ６７と共に排紙ローラ６８へも伝達される。これにより、搬送ローラ６７及び排紙ローラ６８は、所定の改行幅で間欠駆動される。搬送ローラ６７及び排紙ローラ６８の回転は同期されている。画像が記録された記録用紙は、搬送ローラ６７、ピンチローラ、排紙ローラ６８、及び拍車ローラ６９により搬送されて開口１６へ向けて排紙トレイ２１上に排出される。画像記録ユニット２４の上方には、スキャナ部１２が設けられている（図２参照）。スキャナ部１２との排紙トレイ２１との間には、空間４０（図２及び図３参照）が設けられている。画像が記録された記録用紙は、搬送路２３からこの空間４０に排出されて排紙トレイ２１に収容される。
【００５０】
図４は、プリンタ部２０の主要構成を示す平面図である。
【００５１】
図４に示されるように、搬送路２３の上側（図３における上側）には、一対のガイドレール４３，４４が設けられている。ガイドレール４３，４４は、記録用紙の搬送方向５０に所定距離を隔てられて、搬送方向５０と直交する方向（以下、「直交方向」とも称される。）５１に延設されている。キャリッジ３８は、ガイドレール４３，４４を跨ぐようにして搬送方向５０と直交する水平方向（直交方向５１）に往復動可能に載置されている。
【００５２】
ガイドレール４３は、ガイドレール４４よりも上流側に配設されている。ガイドレール４３は、搬送路２３（図３参照）の幅方向（直交方向５１）の長さがキャリッジ３８の往復動範囲より長い平板のものである。ガイドレール４３における下流側の上面がガイド面４３Ａである。キャリッジ３８における上流側の端部は、このガイド面４３Ａに摺動可能に支持される。
【００５３】
ガイドレール４４は、ガイドレール４３よりも下流側に配設されている。ガイドレール４４は、搬送路２３の幅方向の長さがガイドレール４３とほぼ同じ平板状のものである。ガイドレール４４における上流側の縁部４５は、上方へ向かって略直角に曲折されている。ガイドレール４４における下流側の上面がガイド面４４Ａである。キャリッジ３８における下流側の端部は、このガイド面４４Ａに摺動可能に支持される。キャリッジ３８は、縁部４５を不図示のローラ等により狭持する。これにより、キャリッジ３８が、ガイドレール４３，４４のガイド面４３Ａ，４４Ａ上に摺動自在に担持される。そして、キャリッジ３８は、ガイドレール４４の縁部４５を基準として、記録用紙の搬送方向と直交する水平方向（直交方向５１）に往復動可能となる。
【００５４】
ガイドレール４４の上面には、ベルト駆動機構４６が設けられている。ベルト駆動機構４６は、ガイドレール４４に沿って設けられている。ベルト駆動機構４６は、駆動プーリ４７、従動プーリ４８、及び駆動ベルト４９を有する。駆動プーリ４７及び従動プーリ４８は、搬送路２３の幅方向の両端付近にそれぞれ設けられている。駆動ベルト４９は、内側に歯が設けられた無端環状のものであり、駆動プーリ４７と従動プーリ４８との間に張り渡されている。駆動プーリ４７の外周には、駆動ベルト４９の歯と噛合する歯が形成されている。このため、駆動プーリ４７の回転が駆動ベルト４９に確実に伝達され、駆動ベルト４９が周運動される。キャリッジ３８は、この駆動ベルト４９と連結されている。このため、キャリッジ３８は、ベルト駆動機構４６の動作に基づいてガイドレール４３，４４上を直交方向５１へ往復動する。記録ヘッド３９は、このキャリッジ３８に搭載されている。このため、記録ヘッド３９は、直交方向５１を主走査方向として往復動可能となっている。
【００５５】
駆動プーリ４７は、ガイド面４４Ａと直交する方向を軸として、ガイドレール４４の上面の一方端（図４では右端）に回転自在に設けられている。つまり、駆動プーリ４７の軸方向は、鉛直方向である。図４には表れていないが、ガイドレール４４の下側にはＣＲ（キャリッジ）モータ８０（図５参照）が設けられている。ＣＲモータ８０の駆動力は、駆動プーリ４７の軸へ伝達される。これにより、駆動プーリ４７が回転されてキャリッジ３８が往復動される。
【００５６】
図４に示されるように、搬送路２３の下側には、記録ヘッド３９と対向してプラテン４２が配設されている。プラテン４２は、キャリッジ３８の往復動範囲のうち、記録用紙が通過する中央部分に渡って配設されている。プラテン４２の幅は、搬送可能な記録用紙の最大幅より十分に大きいものである。このため、記録用紙は、その両端が常にプラテン４２の上を通過するように搬送路２３に沿って搬送される。プラテン４２とガイドレール４３，４４とは所定間隔が隔てられた状態で平行している。このため、ガイドレール４３，４４上をスライド移動される記録ヘッド３９の下面と、プラテン４２の上面とが所定のヘッドギャップで対向される。
【００５７】
図５は、本実施形態に係る複合機１０の構成例を示すブロック図である。
【００５８】
制御部１００は、複合機１０の全体動作を制御する。制御部１００は、図５に示されるように、ＣＰＵ（Central Processing Unit）１０１、ＲＯＭ（Read Only Memory）１０２、ＲＡＭ（Random Access Memory）１０３、ＥＥＰＲＯＭ（Electrically Erasable and Programmable ROM）１０４を主とするマイクロコンピュータとして構成されている。この制御部１００は、バス１０７を介してＡＳＩＣ（Application Specific Integrated Circuit）１０９と接続されている。
【００５９】
ＲＯＭ１０２には、ＣＰＵ１０１が複合機１０の各種動作を制御するためのプログラム等が格納されている。ＲＡＭ１０３は、ＣＰＵ１０１が上記プログラムを実行する際に用いる各種データを一時的に記憶する記憶領域又は作業領域として使用される。ＥＥＰＲＯＭ１０４には、電源オフ後も保持すべき設定やフラグ等が格納される。
【００６０】
ＡＳＩＣ１０９には、ヘッド制御基板３３、駆動回路８２、駆動回路８１、スキャナ部１２（図１参照）、操作パネル１４（図１参照）等が接続されている。
【００６１】
ヘッド制御基板３３は、ＡＳＩＣ１０９から入力される画像信号に基づいて、記録ヘッド３９を駆動制御する。これにより、記録ヘッド３９のノズル（不図示）から所定のタイミングでインクが選択的に吐出され、記録用紙に画像が記録される。なお、ヘッド制御基板３３は、記録ヘッド３９と共にキャリッジ３８（図４参照）に搭載されている。
【００６２】
駆動回路８２は、ＡＳＩＣ１０９から入力される相励磁信号等に基づいて、ＣＲモータ８０に駆動信号を通電する。この駆動信号を受けたＣＲモータ８０が回転することにより、キャリッジ３８の往復動が制御される。
【００６３】
駆動回路８１は、ＬＦモータ８５を駆動させるものである。ＬＦモータ８５には、図３に示される給紙ローラ２５、搬送ローラ６７、及び排紙ローラ６８が接続されている。駆動回路８１は、ＡＳＩＣ１０９からの出力信号を受けてＬＦモータ８５を駆動させる。ＬＦモータ８５の駆動力は、ギヤや駆動軸等からなる周知の駆動機構を介して、給紙ローラ２５、搬送ローラ６７、及び排紙ローラ６８へ選択的に伝達される。
【００６４】
図６は、給紙カセット５２の全体構成を示す斜視図である。
【００６５】
給紙カセット５２は、大別して、給紙トレイ２９と排紙トレイ２１とを備える。排紙トレイ２１は、給紙カセット２９の上部に回動可能に連結されている。排紙トレイ２１は、後述の第１方向３６及び第２方向３７と略直交する水平な方向（以下、「水平方向」とも称される）７４を軸として、上方へ回動可能に構成されている。給紙トレイ２９に対して排紙トレイ２１が倒伏されることにより、給紙トレイ２９の上面が排紙トレイ２１に覆われる（図６参照）。この状態で、排紙トレイ２１は、画像が記録された記録用紙を保持するとともに給紙トレイ２９の蓋として機能する。これにより、給紙トレイ２９へのゴミの進入が防止される。また、給紙トレイ２９に対して排紙トレイ２１が起立されることによって給紙トレイ２９の上面が開放され、給紙トレイ２９への記録用紙の補充が可能となる。なお、給紙トレイ２９の奥側における上方は、駆動伝達機構２７（図２参照）が配置されるために開放されている。
【００６６】
給紙トレイ２９は、トレイ本体５４と拡張トレイ５９とを有する。給紙トレイ２９は、トレイ本体５４に対して拡張トレイ５９が第１方向３６及び第２方向３７へスライド可能に構成されている。ここで、第１方向３６は、拡張トレイ５９や後述の拡張トレイ６１（本発明のサブトレイの一例）が開口面１９（図２及び図１８）から開口１６内へ押し込まれる方向である。第２方向３７は、拡張トレイ５９や拡張トレイ６１が開口１６から引き出される方向である。トレイ本体５４に対して拡張トレイ５９が必要に応じて第２方向３７又は第１方向３６へスライドされることにより、給紙トレイ２９のシート積載面が搬送方向５０（図４参照）へ拡張又は縮小される。これにより、給紙カセット２９には各種サイズの記録用紙を収容することができる。なお、搬送方向５０と第２方向３７とは同一方向である。
【００６７】
排紙トレイ２１は、トレイ本体５６（本発明のトレイ本体の一例）と拡張トレイ６１とを有する。排紙トレイ２１は、トレイ本体５６に対して拡張トレイ６１が第１方向３６及び第２方向３７へスライド可能に構成されている。トレイ本体５６に対して拡張トレイ６１が拡張トレイ５９に合わせて第２方向３７又は第１方向３６へスライドされる。これにより、給紙トレイ２９の上方が排紙トレイ２１に覆われた状態が維持される。すなわち、給紙トレイ２９に収容される記録用紙のサイズを変更するために拡張トレイ５９の位置が変更されたとしても、排紙トレイ２１が給紙トレイ２９の蓋として機能する。
【００６８】
図７は、給紙トレイ２９の表面側を示す斜視図であり、トレイ本体５４に対して拡張トレイ５９が第２方向３７へ引き出された状態を示す。図８は、図７に示される状態における給紙トレイ２９の裏面側を示す斜視図である。図９は、給紙トレイ２９の表面側を示す斜視図であり、トレイ本体５４に対して拡張トレイ５９が第１方向３６へ押し込まれた状態を示す。図１０は、図９に示される状態における給紙トレイ２９の裏面側を示す斜視図である。なお、図７〜図１０においては、給紙トレイ２９から排紙トレイ２１が取り外された状態が示されている。
【００６９】
図７〜図１０に示されるように、トレイ本体５４は、第１方向３６及び第２方向３７に長い矩形状に形成されている。トレイ本体５４の先端６０に傾斜板２２（図２及び図３参照）が設けられている。傾斜板２２は、トレイ本体５４の幅方向（図６における水平方向７４）に長い板状部材からなる。傾斜板２２は、装置背面側（第１方向３６側）へ傾倒している。したがって、傾斜板２２に記録用紙の先端が当接すると、その先端が傾斜板２２の内側面６２に沿って斜め上方へ案内される。すなわち、内側面６２は、記録用紙を搬送路２３（図３参照）へ案内するガイド面の役割を担う。
【００７０】
内側面６２には、分離部材７１が設けられている。分離部材７１は、内側面６２において傾斜板２２の長手方向の中央に配設されている。分離部材７１は、内側面６２から突出された複数の歯が傾斜板２２の傾斜方向に並んで配設されてなる。複数枚の記録用紙が重ねられた状態で給送されて、その用紙束の先端が内側面６２に当接すると、用紙束の先端が分離部材７１によって捌かれる。その際に、分離部材７１の歯が記録用紙と記録用紙との間に入り込み、記録用紙間に隙間ができる。これにより、記録用紙が分離されやすくなり、給送の際に給紙ローラ２５から記録用紙に付与された力と相俟って、最上位の記録用紙のみが下位の記録用紙から確実に分離される。
【００７１】
内側面６２には、二つの回転コロ６５が回転自在に設けられている。回転コロ６５は、傾斜板２２の長手方向における分離部材７１を挟んだ対称位置に設けられている。回転コロ６５は、そのローラ面が内側面６２から露出されている。回転コロ６５が回転することによって、記録用紙に付加される搬送摩擦が軽減される。
【００７２】
トレイ本体５４には、一対のサイドガイド７０が設けられている。サイドガイド７０は、トレイ本体５４の幅方向（水平方向７４）へスライド可能に設けられている。サイドガイド７０は、給紙トレイ２９に載置された記録用紙の幅方向の位置を規制するものである。具体的には、給紙トレイ２９に載置された記録用紙の幅方向の位置を予め定められた基準位置（本実施形態では給紙トレイ２９の幅方向の中央）に略一致させるように規制するものである。このように、記録用紙の幅方向の中央位置を基準位置に一致させるように記録用紙を規制することは、一般にセンターレジと呼ばれている。なお、図７及び図９には、サイドガイド７０がトレイ本体５４の幅方向の外側へ移動された状態が示されている。
【００７３】
サイドガイド７０には、幅方向中央側へ延出されたラックギヤ７６（図８及び図１０参照）が設けられている。ラックギヤ７６は、トレイ本体５４の幅方向中央に埋設されたピニオンギヤ７７に噛合されている。２つのサイドガイド７０のうちいずれか一方が水平方向７４へスライドされると、他方が連動して相反する方向へスライドされる。したがって、給紙トレイ２９に載置された記録用紙の幅がサイドガイド７０の離間距離よりも短い場合は、サイドガイド７０の一方をスライドさせることにより２つのサイドガイド７０それぞれが同時に移動される。これにより、記録用紙の幅方向の中央位置が上記基準位置に略一致する。
【００７４】
トレイ本体５４には、側端ガイド７８が設けられている。側端ガイド７８は、トレイ本体５４の幅方向の両端に設けられている。側端ガイド７８は、トレイ本体５４の底７３から上方へ垂直に起立している。側端ガイド７８には、排紙トレイ２１（図１１参照）を支持するための軸受け孔６６が設けられている。
【００７５】
側端ガイド７８（図７〜図１０参照）は、断面が逆Ｕ字形状のガイド溝７５を有する。ガイド溝７５は、拡張トレイ５９のスライド方向を第１方向３６及び第２方向３７へ規制するものである。ガイド溝７５に、拡張トレイ５９のレール８８が挿入される。
【００７６】
図７及び図９に示されるように、側端ガイド７８における第２方向３７側には、ガイド面８９が設けられている。ガイド面８９は、ガイド溝７５の上方に第１方向３６及び第２方向３７へ延びるように設けられている。このガイド面８９は、拡張トレイ６１における側壁９７（例えば図６及び図１６参照）の下面１１９（図１１及び図１６参照）が当接する面である。下面１１９がガイド面８９に当接することにより、拡張トレイ６１が水平姿勢に維持される。
【００７７】
トレイ本体５４には、凹部７９が形成されている。凹部７９は、トレイ本体５４の長手方向に沿って長い矩形状に形成されている。凹部７９には、２本のレール７２（図７及び図９参照）が設けられている。図７及び図９に示されるように、レール７２は、凹部７９の底面から垂直方向に立設されている。レール７２は、凹部７９の長手方向の全域にわたって設けられている。レール７２が拡張トレイ５９のガイド溝１０８（図８及び図１０参照）に挿入されることにより、拡張トレイ５９のスライド方向が第１方向３６及び第２方向３７に規制される。
【００７８】
図７〜図１０に示されるように、拡張トレイ５９は、水平方向７４（図６参照）に長い矩形状に形成されている。拡張トレイ５９の後端部１１２における幅方向の中央には、水平な上面１０５が形成されている。排紙トレイ２１の拡張トレイ６１は、この上面１０５に支持される（図６参照）。
【００７９】
後端部１１２の幅方向における両端には、当接面１１６が設けられている。当接面１１６は、トレイ本体５４側（第１方向３６側）へ突出するように設けられている。当接面１１６は、拡張トレイ５９が第１方向３６側へスライドされた際に、後述の当接面１３６（例えば図１１及び図１６参照）に当接する部分である。したがって、当接面１１６は、当接面１３６に対応する位置に設けられている。
【００８０】
拡張トレイ５９の幅方向両端それぞれには、幅方向の壁面を構成するとともに、トレイ本体５４のガイド溝７５に挿入されるレール８８が第１方向３６及び第２方向３７へ延びるように設けられている。レール８８は、ガイド溝７５に挿入され得る位置及び形状に形成されている。
【００８１】
図７〜図１０に示されるように、拡張トレイ５９には上側挿入部９０と下側挿入部９１とが設けられている。上側挿入部９０は、第１方向３６及び第２方向３７を長手方向として拡張トレイ５９の幅方向中央に設けられている。図７及び図９に示されるように、上側挿入部９０は、凹部７９の上側を覆うようにトレイ本体５４に挿入される。したがって、上側挿入部９０は、凹部７９に対応した位置及び形状に形成されている。
【００８２】
図８及び図１０に示されるように、上側挿入部９０の裏面には、拡張トレイ５９の短手方向に沿って２本のガイド溝１０８が形成されている。ガイド溝１０８にトレイ本体５４のレール７２（図７及び図９参照）が挿入される。したがって、ガイド溝１０８は、レール７２に対応した位置に設けられている。
【００８３】
上側挿入部９０の幅方向中央には、長手方向全域にわたってスリット１１０（図７及び図９参照）が形成されている。上側挿入部９０には、リヤガイド１４０（図７及び図９参照）が設けられている。リヤガイド１４０は、給紙トレイ２９に載置された記録用紙の後端に当接してその後端の位置を規制するものである。リヤガイド１４０の下部は、スリット１１０に挿入されている。これにより、リヤガイド１４０はスリット１１０に沿ってスライド可能に支持される。したがって、リヤガイド１４０は、先端８３と後端部１１２との間でスライド可能である。リヤガイド１４０が記録用紙の後端に向けてスライドされると、記録用紙の後端がリヤガイド１４０のガイド面に当接する。これにより、記録用紙の後端が揃えられる。
【００８４】
拡張トレイ５９の底９３のうち、上側挿入部９０を除く部分が下側挿入部９１（図８及び図１０参照）である。つまり、下側挿入部９１は、上側挿入部９０の幅方向両端の外側に設けられている。図７〜図１０に示されるように、下側挿入部９１は、トレイ本体５４の裏面側に潜り込むように挿入される。上側挿入部９０と下側挿入部９１との境界には、スリット１１１が形成されている（図７及び図９参照）。スリット１１１は、スリット１１０の延設方向と同方向に延び、スリット１１０と略同形状に形成されている。スリット１１１によって、上側挿入部９０と下側挿入部９１とが拡張トレイ５９の幅方向に分離されている。これにより、拡張トレイ５９をトレイ本体５４に取り付ける際に、上側挿入部９０をトレイ本体５４の底７３の表面側に露出するように挿入し、下側挿入部９１を底７３の裏面側に潜り込ませるように挿入することが可能となる。
【００８５】
このようにトレイ本体５４及び拡張トレイ５９が構成されているため、トレイ本体５４に対して拡張トレイ５９が第１方向３６及び第２方向３７へスライド可能となる。拡張トレイ５９がトレイ本体５４に収容された状態（図９及び図１０参照）から第２方向３７へ引き出されることにより、給紙トレイ２９のシート積載面が拡張される。逆に、拡張トレイ５９がトレイ本体５４から引き出された状態（例えば、図６〜８参照）からトレイ本体５４に対して第１方向３６へ押し込まれることにより、給紙トレイ２９のシート積載面が縮小される。
【００８６】
図１１は、排紙トレイ２１の表面側を示す斜視図であり、トレイ本体５６に対して拡張トレイ６１が第２方向３７へ引き出された状態を示す。図１２は、排紙トレイ２１の表面側を示す斜視図であり、トレイ本体５６に対して拡張トレイ６１が第１方向３６へ押し込まれた状態を示す。なお、図１１及び図１２では、排紙トレイ２１が給紙トレイ２９から取り外された状態が示されている。
【００８７】
図１１及び図１２に示されるように、トレイ本体５６には回動軸３５が設けられている。回動軸３５は、トレイ本体５６の先端８４における幅方向（図６における水平方向７４）の両端に設けられている。回動軸３５が軸受け孔６６（図７等参照）に挿入されることによって、排紙トレイ２１が給紙トレイ２９の幅方向を軸として、その上方で回動可能に支持される。
【００８８】
図１３は、図１１におけるXIII部の拡大図である。図１４は、図１１におけるXIV部の拡大図である。
【００８９】
図１３及び図１４に示されるように、トレイ本体５６は、その上面に断面がＵ字形状のガイド溝１１５を有する。ガイド溝１１５は、トレイ本体５６の表面が裏面側へ凹むように形成されている。ガイド溝１１５は、第１方向３６及び第２方向３７へ延びるようにトレイ本体５６の全域にわたって設けられている。ガイド溝１１５に拡張トレイ６１の凸片５８（図１４参照）が挿入されることによって、拡張トレイ６１のスライド方向が第１方向３６及び第２方向３７に規制される。
【００９０】
図１３及び図１４に示されるように、トレイ本体５６は、その上面にレール９８が設けられている。レール９８は、トレイ本体５６の幅方向にガイド溝１１５と交互に並べられている。レール９８は、トレイ本体５６の表面から垂直方向に立設されている。レール９８は、第１方向３６及び第２方向３７に延びるようにトレイ本体５６の全域にわたって設けられている。レール９８が拡張トレイ６１のガイド溝８６（図１４参照）に挿入されることにより、拡張トレイ６１のスライド方向が第１方向３６及び第２方向３７に規制される。
【００９１】
拡張トレイ６１は、図１１及び図１２に示されるように、幅方向に長い矩形状に形成されている。拡張トレイ６１は、上面が平らに形成された平面部１１４、及び平面部１１４に対して第１方向３６側へ下方に傾斜された傾斜部１０６からなる。
【００９２】
平面部１１４は、その幅が給紙トレイ２９の拡張トレイ５９の幅と略等しいものである。平面部１１４の幅方向の両側には、上面９５から鉛直下向きに延びる側壁９７が設けられている。側壁９７は、その離間距離がガイド面８９（図７参照）の離間距離と略等しくなるように設けられている。これにより、排紙トレイ２１が給紙トレイ２９に取り付けられた状態で、側壁９７がガイド面８９の直上に配置される。換言すれば、側壁９７の下面１１９がガイド面８９に当接可能となる。下面１１９がガイド面８９に当接することにより、排紙トレイ２１の回動が規制されて上面９５が略水平姿勢に維持される（図６参照）。
【００９３】
側壁９７は、その第２方向３７側の端部に当接面１３６を有する。当接面１３６は、拡張トレイ５９が第１方向３６へスライドされることによって当接面１１６により押圧される部分である。また、当接面１３６は、拡張トレイ６１が第２方向３７へスライドされることによって当接面１１６を押圧する部分である。したがって、当接面１３６は、当接面１１６に対応する位置に設けられている。
【００９４】
平面部１１４は、後端部１２２に開口１２０が設けられている。後端部１２２は、拡張トレイ６１における開口１６（図１及び図２参照）側の端部である。開口１２０は、後端部１２２において、後端面１１７（本発明の端面の一例）の幅方向の中央から上面９５にわたって設けられている。平面部１１４の裏面側には、小トレイ６３が収容される収容部１２７が設けられている。収容部１２７は、第１方向３６及び第２方向３７へ延びる側壁１２４及び支持片（不図示）を有する。支持片は、側壁１２４の下端から平面部１１４の幅方向の中央へ突出されている。
【００９５】
小トレイ６３は、幅方向（水平方向７４）の長さと奥行き方向（第１方向３６及び第２方向３７）の長さが略等しい矩形状に形成されている。小トレイ６３は、収容部１２７に収容されて支持片に下方から支持される。小トレイ６３は、図１１及び図１２に示される状態から第２方向３７へ拡張トレイ６１に対してスライド可能に設けられている。小トレイ６３は、図には示されていないが、拡張トレイ６１から第２方向３７へ引き出されることによって後端面１１７から突出する。これにより、拡張トレイ６１におけるシート載置面が第２方向３７側へ拡張される。
【００９６】
図１４に示されるように、傾斜部１０６の先端９６には、トレイ本体５６のガイド溝１１５に挿入される凸片５８が設けられている。凸片５８は、先端９６から下方へ突出するように形成されてる。凸片５８は、ガイド溝１１５に挿入され得る位置及び形状に形成されている。
【００９７】
図１４に示されるように、傾斜部１０６には、断面が逆Ｕ字形状のガイド溝８６が形成されている。ガイド溝８６は、傾斜部１０６における先端９６から第２方向３７へ延びるように、傾斜部１０６の裏面側に設けられている。ガイド溝８６にトレイ本体５６のレール９８が挿入される。したがって、ガイド溝８６は、レール９８に対応した位置に設けられている。拡張トレイ６１の凸片５８がトレイ本体５６のガイド溝１１５に挿入され、トレイ本体５６のレール９８が拡張トレイ６１のガイド溝８６に挿入される。これにより、拡張トレイ６１のスライド方向が第１方向３６及び第２方向３７に規制される。
【００９８】
このようにトレイ本体５６及び拡張トレイ６１が構成されているため、トレイ本体５６に対して拡張トレイ６１が第１方向３６及び第２方向３７へスライド可能となる。拡張トレイ６１がトレイ本体５６に対して押し込まれた状態（例えば図１２参照）から第２方向３７側へ引き出されることにより、排紙トレイ２１のシート積載面が拡張される。逆に、拡張トレイ６１がトレイ本体５６から引き出された状態（例えば図１１参照）から第１方向３６へ押し込まれることにより、排紙トレイ２１のシート積載面が縮小される。また、回動軸３５が軸受け部６６に支持されることによってトレイ本体５６が水平方向７４（図６参照）を軸として上方へ回動可能に構成されている。
【００９９】
例えば、複合機１０において原稿の読取開始が指示されると、スキャナ部１２により原稿の画像が読み取られる。プリンタ部２０は、この原稿の画像に基づいて印刷処理を実行する。この印刷処理は、以下のように行われる。すなわち、ＬＦモータ８５（図５参照）の駆動力が給紙ローラ２５、搬送ローラ６７、及び排紙ローラ６８に選択的に伝達される。これにより、給紙トレイ２９に収容されている記録用紙が搬送路２３に沿って搬送される。記録用紙は、その搬送過程で画像記録ユニット２４により画像が記録され、開口１６へ向けて空間４０（図２参照）へ排出される。
【０１００】
図１５は、給紙カセット５２の斜視図であり、排紙トレイ２１が第２姿勢の状態を示す。図１６は、図１５におけるXVI部の拡大図である。図１７は、給紙カセット５２の斜視図であり、拡張トレイ５９及び拡張トレイ６１が開口面１９から一体的に押し込まれた状態を示す。図１８は、給紙カセット５２の側面図であり、（Ａ）は図１５の状態における給紙カセット５２を示し、（Ｂ）は図１７の状態における給紙カセット５２を示す。
【０１０１】
トレイ本体５６及び拡張トレイ６１が上述のように構成されているので、排紙トレイ２１は、第１姿勢と第２姿勢との間で姿勢変化可能である。第１姿勢は、拡張トレイ６１の後端面１１７がプリンタ部２０の開口面１９（図２及び図１８参照）と略同一平面をなす状態である（図２参照）。すなわち、第１姿勢は、開口面１９に後端面１１７が位置するように、トレイ本体５６に対して拡張トレイ６１が第２方向３７へ引き出された状態である。なお、給紙カセット５２は、拡張トレイ５９の第１方向３６へのスライド、又は拡張トレイ６１の第２方向３７へのスライドによって、当接面１１６（図７参照）及び当接面１３６（図１６参照）が当接する。拡張トレイ５９が第１方向３６側へ押し込まれている場合（例えば図１７参照）、拡張トレイ６１が第２方向３７へ引き出されることによって当接面１３６（図１６参照）によって当接面１１６（図１５参照）が第２方向３７側へ押圧される。その結果、拡張トレイ５９が拡張トレイ６１と一体的に第２方向３７へスライドされる。したがって、第１姿勢では、開口面１９、後端面１１７、及び後端面９２によって同一平面が構成される（図２参照）。第２姿勢は、後端面１１７が開口面１９から第１方向３６へ押し込まれた状態である（図１５、図１７、図１８参照）。
【０１０２】
記録用紙は、排紙トレイ２１が第１姿勢に維持された状態で排紙トレイ２１上に排出される。例えば図６に示されるように、第１姿勢では、給紙トレイ２９の上方が排紙トレイ２１によって覆われている。このため、排紙トレイ２１に収容された記録用紙に付着している紙粉などのゴミが給紙トレイ２９へ進入することが防止される。
【０１０３】
本実施形態に係る複合機１０では、画像が記録された記録用紙は、プリンタ部２０の背面側（図１８の各図における右側）から開口１６へ向けて空間４０へ排出される。このため、印刷処理に例えばハガキなどの小サイズの記録用紙（以下、「小サイズ用紙」とも称される。）が使用された場合、小サイズ用紙は、排紙トレイ２１上の開口１６から離れた位置（排紙トレイ２１上の奥部）に載置される。この場合、ユーザが開口面１９に対して拡張トレイ６１を押し込むことによって排紙トレイ２１からの小サイズ用紙の取り出しが容易になる（図２及び図１８（Ａ）参照）。
【０１０４】
図２、図６、及び図１５に示されるように、開口１６に対して拡張トレイ６１が押し込まれる。トレイ本体５６がトレイ本体５４に支持されているので、拡張トレイ６１がトレイ本体５６に対して第１方向３６へスライドされる（図６、図１５、図１８（Ａ）参照）。図１６に示されるように、拡張トレイ６１は、その側壁９７の下面１１９がトレイ本体５４の側端ガイド７８におけるガイド面８９に支持されている。拡張トレイ６１は、ユーザによって開口１６から押し込まれることにより、下面１１９がガイド面８９に沿って円滑に摺動しつつ第１方向３６へスライドされる。その結果、後端面１１７が開口面１９から押し込まれた第２姿勢となる（図１８（Ａ）参照）。このように、トレイ本体５９に対して拡張トレイ６１が開口面１９から押し込まれることによって、排紙トレイ２１が第１姿勢から第２姿勢へ姿勢変化される。
【０１０５】
上述の要領で排紙トレイ２１が第１姿勢から第２姿勢へ姿勢変化されることにより、開口１６における排紙トレイ２１上方の空間が開口１６の下方及び奥側へ拡張される。換言すれば、上記姿勢変化により、排紙トレイ２１から記録用紙を取り出すためにユーザが手を入れるための空間が開口１６の下方及び奥側へ拡張される。図２及び図１８（Ａ）に示されるように、排紙トレイ２１が第１姿勢のときにＨ１であった開口１６における空間の高さが、排紙トレイ２１が第２姿勢に姿勢変化されることによってＨ２となる。その結果、ユーザが開口１６のより奥まで手を入れることが可能となり、排紙トレイ２１の奥部から小サイズ用紙を容易に取り出すことができる。したがって、ユーザが排紙トレイ２１から記録用紙を取り出しにくくなるといった不利益を被ることなく、開口１６の高さ（カバー下３１の高さ）を低くしてスキャナ部１２及びプリンタ部２０が上下二段に設けられた複合機１０を薄型化することができる。これは、本実施形態に係る画像記録装置が単機能のプリンタである場合も同様である。
【０１０６】
なお、本実施形態においては、拡張トレイ６１の幅が給紙トレイ２９の幅と略等しい。このため、上記排紙トレイ２１の第１姿勢から第２姿勢への姿勢変化により、給紙トレイ２９の幅方向の全域にわたって、ユーザが手を入れるための空間が開口１６の下方及び奥側へ拡張される。したがって、本実施形態のように排紙トレイ２１の幅方向の中央を基準として記録用紙が排出される場合のみならず、排紙トレイ２１の幅方向の端部を基準として記録用紙が排出される場合でも、ユーザは排紙トレイ２１から記録用紙を容易に取り出すことができる。
【０１０７】
［第１変形例］
排紙トレイ２１は、ユーザが拡張トレイ５９を開口面１９から押し込むことによって第１姿勢から第２姿勢へ姿勢変化されてもよい。拡張トレイ５９が第１方向３６へスライドされることによって、当接面１１６（図７参照）が当接面１３６（図１６参照）に当接する。拡張トレイ６１が第２方向３７側へ引き出されている場合（例えば図６参照）、拡張トレイ５９が第１方向３６へ押し込まれることによって当接面１１６によって当接面１３６が第１方向３６側へ押圧される。これにより、拡張トレイ６１が拡張トレイ５９と一体的に第１方向３６へスライドされる。このように、給紙トレイ２９は、その後端面９２が拡張トレイ６１と一体的に開口面１９から押し込まれる方向（第１方向３６）へスライドする。
【０１０８】
このように、拡張トレイ５９が拡張トレイ６１と一体的に押し込まれることにより、排紙トレイ２１から記録用紙を取り出すためにユーザが手を入れるための空間が開口１６の下方及び奥側へさらに拡張される。図２及び図１８（Ｂ）に示されるように、排紙トレイ２１が第１姿勢のときにＨ１であった開口１６における空間の高さが、排紙トレイ２１が第２姿勢に姿勢変化されることによってＨ３となる。開口面１９に対して拡張トレイ６１のみが押し込まれて排紙トレイ２１が第２姿勢となる場合（図１８（Ａ）参照）に比べて、ユーザが手を入れるための空間が開口１６の下方及び奥側へさらに拡張される。その結果、排紙トレイ２１からの記録用紙の取り出しが一層容易なものとなる。このため、複合機１０の薄型化も一層容易になる。
【０１０９】
［第２実施形態］
以下に、本発明の第２実施形態が説明される。第２実施形態に係る複合機１０は、排紙トレイ２１の構成が一部異なるほかは、第１実施形態と同様の構成である。このため、排紙トレイ２１以外の構成の説明は省略される。
【０１１０】
図１９は、給紙カセット５２の平面図であり、排紙トレイ２１が第１姿勢の状態を示す。図２０は、給紙カセット５２の斜視図であり、拡張トレイ１３３に対して小トレイ１２６が開口面１９から押し込まれた状態を示す。
【０１１１】
本実施形態においては、排紙トレイ２１は、本発明のトレイ本体の一例であるトレイ本体５６及び拡張トレイ１３３と、本発明のサブトレイの一例である小トレイ１２６とから構成される。
【０１１２】
拡張トレイ１３３は、図１９及び図２０に示されるように、後端面１１７の一部が第２方向３７側から第１方向３６側へ切り欠かれている。これにより、拡張トレイ１３３は、開口１６側の端部に開口１４７（本発明の切り欠き部の一例）を有する。この開口１４７は、開口１２０（図１１参照）と同様に、後端面１１７から上面９５にわたって形成されている。開口１４７は、開口１２０に比べて後端面１１７及び上面９５がより広範囲に切り欠かれることによって形成されている（図６及び図２０参照）。この開口１４７は、ユーザが開口１４７を通して空間８７（図２０参照）へ手を入れることが可能なように、ユーザの手の大きさに合わせて形成されている。
【０１１３】
小トレイ１２６は、小トレイ６３（図６参照）と略同形状のものであって、開口１４７に合わせて小トレイ６３よりも大きく形成されている。小トレイ１２６が拡張トレイ１３３の開口１４７に配置されることにより、開口１４７が閉塞される（図１９参照）。すなわち、小トレイ１２６が開口１４７に配置されることによって、小トレイ１２６の後端面９４（本発明の端面の一例）及び拡張トレイ１３３の後端面１１７が略同一平面を形成し、且つ小トレイ１２６の上面１５が上面９５における開口１４７を閉塞する（図１９参照）。これにより、給紙トレイ２９の上側が拡張トレイ１３３及び小トレイ１２６に覆われる。図には示されていないが、小トレイ１２６の幅方向の両側には、水平方向７４の外側へ突出するレールが設けられている。このレールは、第１方向３６及び第２方向３７へ延びるように小トレイ１２６の奥行き方向の全域に設けられている。このレールが後述のガイド溝１３７（図２０参照）に支持されることにより、小トレイ１２６が収容部１４４に収容される。したがって、レールは、ガイド溝１３７に対応する位置に設けられている。
【０１１４】
拡張トレイ１３３の裏面側には、収容部１４４が設けられている。小トレイ１２６は、この収容部１４４に収容される。このため、収容部１４４は、収容部１２７（図１１参照）よりも幅広で奥行きが長くなるように形成されている。水平方向７４における収容室１４４の両側には、ガイド溝１３７が設けられている。図１９及び図２０に示されるように、ガイド溝１３７は、第１方向３６及び第２方向３７へ延びるように収容室１４４の内側へ向けて設けられており、縦断面がコの字形のものである。ガイド溝１３７は、小トレイ１２６のレールに対応する位置に設けられている。小トレイ１２６は、そのレールがガイド溝１３７に支持されることによって、第１方向３６及び第２方向３７へスライド可能に拡張トレイ１３３に設けられる。
【０１１５】
このように、本実施形態における給紙カセット５２は、開口１４７の部分を除いて第１実施形態における給紙カセット５２と同様に構成されている（図６及び図２０参照）。このため、本実施形態の給紙カセット５２は、第１実施形態における給紙カセット５２と同様にプリンタ部２０の開口１６内に配置される。
【０１１６】
本実施形態においては、排紙トレイ２１は、プリンタ部２０の開口面１９（図２参照）、拡張トレイ１３３の後端面１１７、及び小トレイ１２６の後端面９４が略同一平面を形成することによって第１姿勢に維持される（図１９参照）。すなわち、第１姿勢は、小トレイ１２６が開口１４７に配置された状態である。したがって、第１姿勢では、給紙トレイ２９の上方が拡張トレイ１３３及び小トレイ１２６に覆われる。この状態からユーザによって小トレイ１２６が押し込まれる。これにより、小トレイ１２６が拡張トレイ１３３に対して第１方向３６へスライドされる。その結果、排紙トレイ２１が第２姿勢となる（図２０参照）。
【０１１７】
このように、排紙トレイ２１は、拡張トレイ１３３に対して小トレイ１２６が第１方向３６へスライドされることによって第１姿勢から第２姿勢へ姿勢変化される。この姿勢変化によって開口１４７が開放され、小トレイ１２６により区画されていた排紙トレイ２１上の空間と給紙トレイ２９内の空間８７が連続する。これにより、排紙トレイ２１から記録用紙を取り出すためにユーザが手を入れるための空間が開口１４７の下方（拡張トレイ５９の内部）まで拡張される。その結果、排紙トレイ２１からの記録用紙の取り出しが容易になる。
【０１１８】
本実施形態においては、給紙トレイ２９における記録用紙の基準位置にセンターレジが採用されているため、記録用紙は、排紙トレイ２１の幅方向の中央位置を基準に排紙トレイ２１上に排出される。記録用紙の幅方向の端部を給紙トレイ２９における幅方向の端部に一致させるサイドレジの場合、記録用紙は、排紙トレイ２１の幅方向の端部を基準に排紙トレイ２１上に排出されることとなる。この場合、排紙トレイ２１上に排出される記録用紙の基準位置に応じて、開口１４７の位置を拡張トレイ１３３の幅方向端部に変更することが好ましい。
【０１１９】
なお、第１実施形態及び第２実施形態においては、排紙トレイ２１が給紙トレイ２９の蓋として給紙トレイ２９に連結されている形態について説明したが、排紙トレイ２１は、給紙トレイ２９ではなくプリンタ部２０（例えばカバー下３１）に設けられていてもよい。
【０１２０】
第１実施形態及び第２実施形態においては、拡張トレイ６１又は小トレイ１２６が開口面１９から押し込まれて排紙トレイ２１が第１姿勢から第２姿勢へ姿勢変化される形態について説明した。ただし、開口面１９から押し込まれる部材は排紙トレイ２１の一部に限定されるものではなく、例えば排紙トレイ２１全体が開口面１９から押し込まれてもよい。
【０１２１】
第１実施形態及び第２実施形態においては、排紙トレイ２１が第１姿勢及び第２姿勢の間で姿勢変化される形態について説明した。ただし、排紙トレイ２１は、後端面１１７や後端面９４が開口面１９の外側へ引き出し可能に構成されていてもよい。すなわち、本発明における第１姿勢は、排紙トレイ２１が伸縮される姿勢変化の一姿勢である。
【図面の簡単な説明】
【０１２２】
【図１】図１は、複合機１０の外観構成を示す斜視図である。
【図２】図２は、複合機１０の内部構成を示す縦断面図である。
【図３】図３は、プリンタ部２０の主要構成を示す部分拡大断面図である。
【図４】図４は、プリンタ部２０の主要構成を示す平面図である。
【図５】図５は、本実施形態に係る複合機１０の構成例を示すブロック図である。
【図６】図６は、給紙カセット５２の全体構成を示す斜視図である。
【図７】図７は、給紙トレイ２９の表面側を示す斜視図であり、トレイ本体５４に対して拡張トレイ５９が第２方向３７へ引き出された状態を示す。
【図８】図８は、図７に示される状態における給紙トレイ２９の裏面側を示す斜視図である。
【図９】図９は、給紙トレイ２９の表面側を示す斜視図であり、トレイ本体５４に対して拡張トレイ５９が第１方向３６へ押し込まれた状態を示す。
【図１０】図１０は、図９に示される状態における給紙トレイ２９の裏面側を示す斜視図である。
【図１１】図１１は、排紙トレイ２１の表面側を示す斜視図であり、トレイ本体５６に対して拡張トレイ６１が第２方向３７へ引き出された状態を示す。
【図１２】図１２は、排紙トレイ２１の表面側を示す斜視図であり、トレイ本体５６に対して拡張トレイ６１が第１方向３６へ押し込まれた状態を示す。
【図１３】図１３は、図１１におけるXIII部の拡大図である。
【図１４】図１４は、図１１におけるXIV部の拡大図である。
【図１５】図１５は、給紙カセット５２の斜視図であり、排紙トレイ２１が第２姿勢の状態を示す。
【図１６】図１６は、図１５におけるXVI部の拡大図である。
【図１７】図１７は、給紙カセット５２の斜視図であり、拡張トレイ５９及び拡張トレイ６１が開口面１９から一体的に押し込まれた状態を示す。
【図１８】図１８は、給紙カセット５２の側面図であり、（Ａ）は図１５の状態における給紙カセット５２を示し、（Ｂ）は図１７の状態における給紙カセット５２を示す。
【図１９】図１９は、給紙カセット５２の平面図であり、排紙トレイ２１が第１姿勢の状態を示す。
【図２０】図２０は、給紙カセット５２の斜視図であり、拡張トレイ１３３に対して小トレイ１２６が開口面１９から押し込まれた状態を示す。
【符号の説明】
【０１２３】
１０・・・複合機（本発明の画像記録装置の一例）
１２・・・スキャナ部（本発明の読取部の一例）
１６・・・開口
２０・・・プリンタ部（本発明の装置本体に相当）
２１・・・排紙トレイ（本発明の第２トレイの一例）
２４・・・画像記録ユニット（本発明の記録部に相当）
２５・・・給紙ローラ（本発明の搬送部の一部）
２９・・・給紙トレイ（本発明の第１トレイの一例）
３６・・・第１方向
３７・・・第２方向
４０・・・空間
５６・・・トレイ本体（本発明のトレイ本体の一例）
６１・・・拡張トレイ（本発明のサブトレイの一例）
６７・・・搬送ローラ（本発明の搬送部の一部）
６８・・・排紙ローラ（本発明の搬送部の一部）
７４・・・水平方向
８５・・・ＬＦモータ（本発明の搬送部の一部）
９４・・・後端面（本発明の端面の一例）
１０５・・・上面
１１７・・・後端面（本発明の端面の一例）
１２６・・・小トレイ（本発明のサブトレイの一例）
１３１・・・コイルバネ（本発明の付勢部材の一例）
１３３・・・拡張トレイ（本発明のトレイ本体の一例）
１４７・・・開口（本発明の切り欠き部の一例）
【図１】
2008213973.tif 000003
【図２】
2008213973.tif 000004
【図３】
2008213973.tif 000005
【図４】
2008213973.tif 000006
【図５】
2008213973.tif 000007
【図６】
2008213973.tif 000008
【図７】
2008213973.tif 000009
【図８】
2008213973.tif 000010
【図９】
2008213973.tif 000011
【図１０】
2008213973.tif 000012
【図１１】
2008213973.tif 000013
【図１２】
2008213973.tif 000014
【図１３】
2008213973.tif 000015
【図１４】
2008213973.tif 000016
【図１５】
2008213973.tif 000017
【図１６】
2008213973.tif 000018
【図１７】
2008213973.tif 000019
【図１８】
2008213973.tif 000020
【図１９】
2008213973.tif 000021
【図２０】
2008213973.tif 000022